(57)【要約】【課題】  濾過装置に流体を通過させながら、濾過部材を反復使用できること。【解決手段】  流体の入口および出口を持つケーシングと、該ケーシング内に着脱自在に装着された濾過部材と、前記ケーシングに設けられて前記入口および出口間を連通させるバイパスと、前記入口に設けられた第１方向切換弁と、前記ケーシング内の前記濾過部材に対し、入口側の内面からケーシング外部に開口する逆洗排出路とを含む濾過装置。前記ケーシング内で軸方向に摺動自在に挿入され、可動通路を持つ摺動棒と、前記可動通路に挿入された濾過部材とを含む濾過装置。前記ケーシング内で軸方向に回動自在に挿入され、可動通路を持つ回動棒と、前記可動通路に挿入された濾過部材とを含む濾過装置。【選択図】        図１
2005058935.tif 000002
【特許請求の範囲】
【請求項１】
流体の入口および出口を持つケーシングと、
該ケーシング内に着脱自在に装着された濾過部材と、
前記ケーシングに設けられて前記入口および出口間を連通させるバイパスと、
前記入口に設けられた第１方向切換弁と、
前記ケーシング内の前記濾過部材に対し、入口側の内面からケーシング外部に開口する逆洗排出路とを含むことを特徴とする濾過装置。
【請求項２】
流体の入口および出口を持つケーシングと、
該ケーシング内で軸方向に摺動自在に挿入され、可動通路を持つ摺動棒と、
前記可動通路に挿入された濾過部材と、
前記ケーシングに設けられて前記入口および出口間を連通させるバイパスと、
前記入口に設けられた第１方向切換弁と、
前記ケーシング内の前記濾過部材に対し、入口側の内面からケーシング外部に開口する逆洗排出路とを含むことを特徴とする濾過装置。
【請求項３】
流体の入口および出口を持つケーシングと、
該ケーシング内で軸回りに回動自在に挿入され、可動通路を持つ回動棒と、
前記可動通路に挿入された濾過部材と、
前記ケーシングに設けられて前記入口および出口間を連通させるバイパスと、
前記入口に設けられた第１方向切換弁と、
前記ケーシング内の前記濾過部材に対し、入口側の内面からケーシング外部に開口する逆洗排出路とを含むことを特徴とする濾過装置。
【請求項４】
前記バイパスの途中にバイパスフィルターが設けられたことを特徴とする請求項１または２または３記載の濾過装置。
【請求項５】
前記バイパスの途中からケーシング外部に開口するバイパス排出路と、
前記バイパスと前記バイパス排出路との分岐部に設けられた第２方向切換弁とを含むことを特徴とする請求項１または２または３または４記載の濾過装置。
【請求項６】
前記第１方向切換弁は逆洗通路を持ち、ケーシングの逆洗排出路に通じるようにしたことを特徴とする前記いずれかの請求項に記載の濾過装置。
【発明の詳細な説明】
【技術分野】
【０００１】
本発明は、濾過装置に関するものである。
【背景技術】
【０００２】
従来の濾過装置では、フィルターが目詰まりしたとき、これを抜き出し、新しいものに交換せねばならない。
【発明の開示】
【発明が解決しようとする課題】
【０００３】
このように従来の技術では、フィルターの交換中には濾過作動を停止させねばならない。このため、製品生産ラインを止めなければならない。本発明は、濾過装置に流体を通過させながら、逆洗して濾過部材を反復使用することができる濾過装置を提供することを目的とする。
【課題を解決するための手段】
【０００４】
本発明の第１態様は、流体の入口および出口を持つケーシングと、該ケーシング内に着脱自在に装着された濾過部材と、前記ケーシングに設けられて前記入口および出口間を連通させるバイパスと、前記入口に設けられた第１方向切換弁と、前記ケーシング内の前記濾過部材に対し、入口側の内面からケーシング外部に開口する逆洗排出路とを含むことを特徴とする。
【０００５】
本発明の第２態様は、流体の入口および出口を持つケーシングと、該ケーシング内で軸方向に摺動自在に挿入され、可動通路を持つ摺動棒と、前記可動通路に挿入された濾過部材と、前記ケーシングに設けられて前記入口および出口間を連通させるバイパスと、前記入口に設けられた第１方向切換弁と、前記ケーシング内の前記濾過部材に対し、入口側の内面からケーシング外部に開口する逆洗排出路とを含むことを特徴とする。
【０００６】
本発明の第３態様は、流体の入口および出口を持つケーシングと、該ケーシング内で軸回りに回動自在に挿入され、可動通路を持つ回動棒と、前記可動通路に挿入された濾過部材と、前記ケーシングに設けられて前記入口および出口間を連通させるバイパスと、前記入口に設けられた第１方向切換弁と、前記ケーシング内の前記濾過部材に対し、入口側の内面からケーシング外部に開口する逆洗排出路とを含むことを特徴とする。
【０００７】
本発明の第４態様は、第１または第２または第３態様に加え、前記バイパスの途中にバイパスフィルターが設けられたことを特徴とする。
【０００８】
本発明の第５態様は、第１または第２または第３または第４態様に加え、前記バイパスの途中からケーシング外部に開口するバイパス排出路と、前記バイパスと前記バイパス排出路との分岐部に設けられた第２方向切換弁とを含むことを特徴とする。
【０００９】
本発明の第６態様は、前記いずれかの態様に加え、前記第１方向切換弁は逆洗通路を持ち、ケーシングの逆洗排出路に通じるようにしたことを特徴とする。
【発明の効果】
【００１０】
濾過装置に流体を通過させながら、逆洗を繰り返すことにより、濾過部材を反復使用することができ、生産効率が増加する。
【発明を実施するための最良の形態】
【００１１】
以下に本発明の一実施例を図面にもとづき説明する。図１において、流体の入口１１および出口１２を持つケーシング１０内に濾過部材２０が着脱自在に装着される。ケーシング本体１０ａは外形が正面視で横長矩形，側面視で矩形，平面視で横長矩形をなした鋼のブロック状である。そして、前記濾過部材２０が挿入される円筒形の固定通路１０ｃが左右方向中心線上に設けられる。ケーシング本体１０ａには、ケーシング本体の一方外面から前記固定通路１０ｃを連通して他方外面（前面）に開口するように、入口通路１１，出口通路１２が設けられる。
【００１２】
前記濾過部材たる有底濾過筒２０は、底側を入口通路側１１に位置し、次のように構成される。補強多孔筒２１は直円筒（またはテーパ円筒）を呈し、その外周（または内周，中間）に円筒スクリーン２２が装着される。補強多孔筒２１の一端にネジで取り付けられた底部材２３は、外側中央が外側に凸となっている。案内部材２４は、底部材２３の内側の軸線上に突設された先細テーパ棒状を呈する。フランジ部材２５は多孔筒２１の開口側に設けられた円環状を呈し、ケーシング１０の端材１０ｂを兼ね、ケーシング本体１０ａの他方外面にボルト・ナットで着脱自在に取り付けられる。
【００１３】
前記ケーシングには、前記入口１１および出口１２間を連通させるバイパス１３設けられ、前記出口１２の近くで該バイパスの途中から、ケーシング外部に開口するバイパス排出路１５が設けられる。また、図１，２のように、前記入口１１に第１方向切換弁４（Ｔ字流路４ａを持つ）が設けられる。この第１方向切換弁４は逆洗通路４ｂを持ち、この逆洗通路４ｂは、逆洗時に後記ケーシングの逆洗排出路１４に通じる。
【００１４】
前記バイパス１３とバイパス排出路１５との分岐部に、第２方向切換弁５（Ｔ字流路を持つ）が設けられる。前記ケーシング内の前記濾過部材２０に対し、入口１１の内面からケーシング外部に開口する逆洗排出路１４（第１方向切換弁４で開閉される）が設けられる。前記バイパス１３の途中にバイパスフィルター６が設けられる。８はバイパスフィルター６を交換するためのキャップである。
【００１５】
以上において作動状態を説明する。図１は押出機の先に本発明の濾過装置が装備された状態である。溶融プラスチックの流体の定常流は、入口１１より固定通路１０ｃを通り濾過部材２０を通り、出口１２を経て次工程に移る。このとき、スクリーン２２で流体は濾過される。弁５は流体の濾過作動中には濾過部材２０（出口１２）よりの逆流を防ぐ状態にあり、バイパス１３には流れない。
【００１６】
さて、スクリーン２２が目詰まりして逆洗開始時には、次のように操作される。バイパス１３を開とするよう弁４を切換える（図２に示す）と共に、止め弁７を開とする。スクリーン２２への流体の流れは遮断され、流体はバイパス１３に流入し、バイパス１３を通った流体は弁５からバイパス排出路１５を通って装置外へ放出される。これは、バイパス中にたまった劣化した流体を先ず機外に放出するためである。
【００１７】
これが完了してから弁５を切り換えると、流体の一部は出口１２へ、残部は濾過部材２０内を逆流して、スクリーン２２の裏面より表面に付いた不純物を洗い出す。このとき、第１方向切換弁４の逆洗通路４ｂは、ケーシング１０の逆洗排出路１４に通じており（図３に示す）、流体は逆洗排出路１４より装置外に放出する。これは、スクリーン２２内外の圧力差によって行われる。
【００１８】
逆洗が完了すれば、弁４は濾過作業の状態に、弁５はバイパス１３の閉状態に戻す。これを繰り返すことにより、濾過部材２０のスクリーン２２を反復使用することができ、生産効率が増加する。バイパス用フィルター６はバイパス１３を通る流体の中の不純物を取るためのものであり、スクリーン２２に比して短時間しか流れないので、大きなものは必要ない。
【００１９】
なお、前記第１方向切換弁４に逆洗通路４ｂを設けなくてもよい。この場合は、前記ケーシング内の前記濾過部材２０に対し、入口１１側の固定通路１０ｃ内面からケーシング外部に開口する逆洗排出路１４’が設けられる。そして、この逆洗排出路１４’の出口に栓３が着脱自在に設けられる。
【００２０】
なおまた、前記濾過部材２０は前記のような静止形でも、スライド式でも、あるいは回転式でも適用できる。また、入口，出口が逆になっても同様である。即ち、図４において、流体の入口１１および出口１２を持つケーシング１０内で円柱摺動棒２が軸方向（紙面に直角方向）に摺動自在に挿入され、可動通路２ａを外周面に貫通して持つ。前記可動通路２ａに濾過部材２０が挿入され、着脱自在に装着される。この場合、フランジ部材２５は多孔筒２１の開口側に設けられた円環状を呈し、ケーシング本体の対向する部分は円柱摺動棒２の外周面に面一となる円筒面を持つ。濾過作動と逆洗作動は前記図１と同様に行われる。なお、濾過部材２０を取り外すときは、摺動棒２を軸方向（紙面の直角方向）に摺動させ、ケーシング１０の取り出し孔（図示省略）から取り出す。
【００２１】
また、図４において、前記円柱摺動棒２に換えて、円柱回動棒２が適用される。この場合、濾過部材２０を取り外すときは、回動棒２を軸回り（図面の右回り９０度）に回し、ケーシング１０の取り出し孔（図示省略）から取り出す。
【００２２】
本発明は前記した実施例や実施態様に限定されず、特許請求の範囲および範囲を逸脱せずに種々の変形を含む。
【産業上の利用可能性】
【００２３】
本発明は、溶融プラスチック押出機などに使用される濾過装置である。
【図面の簡単な説明】
【００２４】
【図１】本発明の一実施例の鉛直断面図である。
【図２】図１の要部拡大図である。
【図３】図２の作動説明図である。
【図４】本発明の他の実施例の鉛直断面図である。
【符号の説明】
【００２５】
１  ケーシング
１ａ  本体
１ｂ  入口
１ｃ  出口
２  摺動棒
２ａ  可動通路
３  栓
４  第１方向切換弁
５  第２方向切換弁
６  バイパスフィルター
７  止め弁
８  キャップ
１０  ケーシング
１０ａ  本体
１０ｂ  端板
１０ｃ  固定通路
１１  入口
１２  出口
１３  バイパス
１４  逆洗排出路
１５  バイパス排出路
２０  濾過部材
【図１】
2005058935.tif 000003
【図２】
2005058935.tif 000004
【図３】
2005058935.tif 000005
【図４】
2005058935.tif 000006